(57)【要約】      （修正有）【課題】素材原料を節約し、高い回転トルクを維持するオープンスパナを提供する。【解決手段】扁平な持ち手１１及び扁平な駆動部１２からなり、駆動部１２は、螺合部品を嵌合する上下が貫通した嵌合口１２０を設ける。駆動部１２上下面は第一層１２と第二層１２２及びそれから延長した第三層１４１と第四層１４３が順に重畳して連続した側辺面を構成し、第一層１２及び第二層１２２は、嵌合口１２０の口縁に沿ってＵ字型に囲む。第二層１２２の最上面の面積は第一層１２の最上面面積よりも小さく、第二層１２２最上面の面積は第一層１２の最上面面積より小さく、第四層１４３の最上面の面積は第三層１４１の最上面面積より小さい。【選択図】図１
0003213561.tif 000002
【実用新案登録請求の範囲】
【請求項１】
オープンスパナにおいて、
本体および該本体と一体に連接した持ち手及び駆動部を備え、
該駆動部の前端には螺合部品を嵌合するＵ字型嵌合口を該駆動部上下面を貫通する開口として設け、
該駆動部の上下扁平面部には第一層及び第二層を順に重畳して設けて側辺を一体とした連続面とすると共に上記嵌合口開口口縁に沿って囲んで設け、
上記第二層の最上面は平坦な第一最上面であって、該第二層の底面を上記第一層の最上面に一体に重畳して形成し、
該第一層は該駆動部の扁平面部上に重畳して一体の連続面とし、
該第二層の側辺はその底面からその第一最上面まで傾斜面を形成し、該第一最上面の面積は前記第一層の最上面面積より小さく、
上記第一層の中段箇所の前記持ち手までの延長箇所を第三層とし、上記第二層の該持ち手までの延長箇所を第四層として形成すると共に
該第四層の最上面を平坦な第二最上面とすると共にその底面を上記第三層の最上面に重畳して一体の連続面とし、
また、該第三層の底面は上記持ち手の扁平面部に重畳して一体の連続面とすることにより、
該第四層の側辺はその底面から該第二最上面まで傾斜面とし、
該第二最上面面積は該第三層の該最上面面積より小さいことを特徴とするオープンスパナ。
【請求項２】
前記第二層の第一最上面と上記第四層の第二最上面は、それぞれ平面で且つ同一平面を形成し、かつ該第一最上面及び第二最上面は連接してＹ字型を形成し、該第二層の横断面側辺形状は直線であり、該第四層の横断面側辺形状は曲線であり、該第四層の横断面の側辺形状は凹曲線であることを特徴とする請求項１記載のオープンスパナ。
【請求項３】
前記第四層の第二最上面と前記第二層の第一最上面が相互に接続する前端辺の箇所の幅を第一幅とし、該第二最上面の前記持ち手前端まで延長する中段箇所の幅を第二幅として、該第一幅は第二幅より大きく、
該第二最上面の該持ち手まで延長した中段の後端辺の円弧形状を第一アークとして、該第一アークの円弧の直径は該第二幅より小さく、該第四層の底面の後端辺の円弧形状を第二アークとして、該第二アークの円弧直径は該第一アーク円弧直径より大きいことを特徴とする請求項１記載のオープンスパナ。
【請求項４】
前記第一層と前記持ち手の接続箇所には、仮想の第二アーク面を設けて、該持ち手の中央縦軸線と該第二アーク面の交差点から前記第四層の底面の一端部までの最大距離を第二距離として、該第二距離と該持ち手の長さの比は１/２より小さいか、もしくは１:３〜１:６であるか、もしくは１:６であることを特徴とする請求項１記載のオープンスパナ。
【請求項５】
前記第四層の第二最上面は、前記持ち手側に延長され、該第二最上面の中軸線と該持ち手の中央縦軸線間には間隔を有することを特徴とする請求項１記載のオープンスパナ。
【請求項６】
前記第二層の側辺は、その底面からその第一最上面まで連続した傾斜面を形成し、該第二層の横断面側辺形状を直線とすることを特徴とする請求項１記載のオープンスパナ。
【請求項７】
前記駆動部上下の前記第二層の第一最上面の間隔としての厚さを第一距離とし、前記駆動部の嵌合口の底部の中心を通過する中分線と該中分線と前記持ち手の中央縦軸線の間には１５度の夾角を有し、
該嵌合口の底部形状を第一アーク面として、該嵌合口を通過する該底部の中心線は、該中央縦軸線と平行な縦向線を形成し、該第一層と該持ち手の接続箇所には、仮想の弧形第二アーク面を形成して、該中分線と該中央縦軸線の交差点は該第二アーク面上にあり、該縦向線と該中央縦軸線との間には偏移距離を有することを特徴とする請求項１記載のオープンスパナ。
【請求項８】
前記第一層の最上面から第二層の第一最上面までの間は、層が重畳して延長した第二層であり、該第二層の横断面の側辺形状は直線もしくは凸曲線であることを特徴とする請求項１記載のオープンスパナ。
【請求項９】
前記第二層の第一最上面の面積は、前記第一層の最上面面積の１/３〜２/３であることを特徴とする請求項１記載のオープンスパナ。
【請求項１０】
前記第三層の最上面から前記第三層の第二最上面までの間は、層が重畳して延長して形成された第四層であり、該第四層の横断面の側辺形状は直線もしくは凹曲線であることを特徴とする請求項１記載のオープンスパナ。
【考案の詳細な説明】
【技術分野】
【０００１】
本考案は、オープンスパナに関するもので、特に素材原料を節約し、更に回転トルクを下げないスパナである。
【背景技術】
【０００２】
公知のオープンスパナは、図２２に示すとおり、本体６０に持ち手６１及び駆動部６２を設置する。駆動部６２厚みは、持ち手６１より厚い。
【０００３】
他の公知のオープンスパナは、図２３に示すとおり、本体７０は、持ち手７１及び駆動部７２を設置する。駆動部７２上には第一層７２１及び第二層７２２を設ける。第一層７２１と持ち手７１は同じ厚みである。第二層７２２は駆動部７２の開口端を囲んで設置する。第二層７２２は第一層７２１から険しく突出する。本体７０構造は、一般に業界で言うところのドイツDIN規格３１１３号である。
【先行技術文献】
【特許文献】
【０００４】
【特許文献１】特開２００２−２３９９３１号公報
【考案の概要】
【考案が解決しようとする課題】
【０００５】
解決しようとする問題点として、図２２は駆動部６２が厚く、重量が重いため、操作に負担がかかり、且つ材料費がかかりすぎる点である。
また、図２３は駆動部７２には第一層７２１及び厚みのある第二層７２２を設置し、全体の体積は前述の第二駆動部６２よりも少ないが、良好な回転トルクは得にくい点である。
【課題を解決するための手段】
【０００６】
本考案は、扁平の持ち手及び扁平の駆動部の本体を含む。駆動部は、上下が貫通した嵌合口を凹設する。第二駆動部上下面はそれぞれ層が重畳した第一層と第二層が一体で層が重畳した第三層と第四層が一体となる。第一層及び第二層は、嵌合口の口縁に沿ってＵ字型に囲む。第二層の最上面の面積は第一層の最上面面積よりも小さい。第一層及び第二層中段から持ち手までそれぞれ延長するのは第三層及び第四層である。第二層最上面の面積は第一層の最上面面積より小さい。第四層の最上面の面積は第三層の最上面面積より小さいことを最も主要な特徴とする。
【考案の効果】
【０００７】
本考案のオープンスパナは、以下の効果を備える。
【０００８】
駆動部１２は、第一層１２１、第二層１２３、第三層１４１及び第四層１４３を設置する。図２１に示す公知の第二駆動部６２と比較して重量が軽くなり、図２２に示す公知の第三駆動部７２と比較して良好な回転トルクを備える。
【０００９】
ユーザーが螺合部品５０を回転する時、親指を側辺の第四層１４３にかけて押圧することにより、力をかけやすい。
【００１０】
嵌合口１２０に螺合部品５０を嵌合する時、螺合部品５０の高い位置での半分箇所を嵌合した場合でも、駆動部１２が螺合部品５０を回転した時，回転トルクは第二層１２３から第二最上面１４２まで伝達され、次に第四層１４３及び持ち手１１まで伝達される。
【図面の簡単な説明】
【００１１】
【図１】本考案オープンスパナ構造駆動部の立体図である。
【図２】本考案オープンスパナ構造駆動部の俯瞰図である。
【図３】図２のC-C箇所の断面図である。
【図４】図２のD-D箇所の断面図である。
【図５】本考案オープンスパナ構造の俯瞰図である。
【図６】本考案オープンスパナ構造駆動部の側面図である。
【図７】図６内のB-B箇所の断面図である。
【図８】本考案オープンスパナ構造最上面の断面図である。
【図９】本考案オープンスパナ構造と螺合部品が結合した俯瞰図である。
【図１０】図９のC-C箇所の断面図である。
【図１１】本考案オープンスパナ構造第二実施例の俯瞰図である。
【図１２】本考案オープンスパナ構造第三実施例駆動部の俯瞰図である。
【図１３】本考案オープンスパナ構造第四実施例駆動部の立体図である。
【図１４】本考案オープンスパナ構造第四実施例駆動部の俯瞰図である。
【図１５】図１４のA-A箇所の断面図である。
【図１６】本考案オープンスパナ構造第四実施例駆動部の側面図である。
【図１７】図１６のB-B箇所の断面図である。
【図１８】本考案オープンスパナ構造第四実施例最上面の断面図である。
【図１９】本考案オープンスパナ構造第四実施例と螺合部品が結合した俯瞰図である。
【図２０】図１９のC-C箇所の断面図である。
【図２１】本考案第五実施例立体図である。
【図２２】公知のオープンスパナ構造の立体図である。
【図２３】別の公知のオープンスパナ構造第の立体図である。
【考案を実施するための形態】
【００１２】
素材原料を節約し、回転トルクを下げないオープンスパナを提供することを本考案の目的とする。
それは扁平の持ち手及び扁平の駆動部を含む本体とする。駆動部は、上下が貫通した嵌合口を凹設する。第二駆動部上下面はそれぞれ層が重畳した第一層及び第二層、相互に重畳した第三層及び第四層を有する。第一層及び第二層は、嵌合口の口縁に沿ってＵ字型に囲んで形成する。第二層の最上面の面積は第一層の最上面面積よりも小さい。第一層及び第二層中段から持ち手までそれぞれ延びるのは第三層及び第四層である。第二層最上面の面積は第一層の最上面面積より小さい。第四層の最上面の面積は第三層の最上面面積より小さい。
【実施例１】
【００１３】
図１に示すとおり、本考案オープンスパナは、本体１０を備え、本体１０は一体で且つ相対する水平面が扁平な持ち手１１及び扁平な駆動部１２を有する。
駆動部１２後端は、持ち手１１一端に接続する。駆動部１２前端は、ナットなどの螺合部品５０に嵌合する嵌合口１２０を凹設する。嵌合口１２０は駆動部１２上下扁平面部を貫通する。
駆動部１２上下面には、順に重畳して、嵌合口１２０の開口縁に沿ってＵ字型で囲む第一層１２１及び第二層１２３をそれぞれ突出して一体に成形する。
第一層１２１の中段箇所は持ち手１１まで延長して突出する。第二層１２３の最上面は、平坦な第一最上面１２２を形成する。第二層１２３底面は第一層１２１最上面に一体で重畳して形成する。第一層１２１底面は、前記駆動部１２の扁平面部に一体に重畳して形成する。第二層１２３の一側辺は、その底面から第一最上面１２２まで傾斜面を形成して延びる(図示例は斜平面に延び、第二層１２３の横断面側辺は線分とする)。
第二層１２３の第一最上面１２２の面積は第二層１２３底面面積より小さい。第二層１２３底面面積は第一層１２１最上面面積より小さい。
第一層１２１の持ち手１１まで延長する扁平最上面は第三層１４１を形成する。第二層１２３の持ち手１１まで延長する箇所は第三層１４１最上面の第四層１４３に重畳する。第三層１４１底面は持ち手１１の扁平面部に一体に重畳する。
第四層１４３最上面は平坦な第二最上面１４２である。第二層１２３の第一最上面１２２及びこの第二最上面１４２は同一平面を形成し、且つ連続したＹ字型の平面形を構成する。
第四層１４３側辺は底面から第二最上面１４２まで傾斜面を形成して延びる(図示例は凹アーク面延長であり、第四層１４３の横断面側辺形状は凹曲線とする)。第二最上面１４２面積は第四層１４３底面面積より小さい。第四層１４３底面面積は第三層１４１底面面積より小さい。
【００１４】
図２に示すとおり、第二最上面１４２と第一最上面１２２の相互に接続する前端辺箇所の幅は、第一幅１４４であり、第二最上面１４２から持ち手１１前端まで延長した中段箇所の幅は第二幅１４５である。第一幅１４４は第二幅１４５よりも大きい。
第二最上面１４２から持ち手１１中段まで延びた後端辺は第一アーク１４６であり、第一アーク１４６の直径は上記第二幅１４５より小さい。第四層１４３底面の後端辺は第二アーク１４７であって、第二アーク１４７の円直径は、第一アーク１４６の円直径より大きい。第一アーク１４６と第二アーク１４７は同軸心である。
【００１５】
図３及び図４に示すとおり、駆動部１２上下の最上面１２２の間隔、すなわち駆動部１２の厚さは第一距離３１である。第二層１２３の横断面の側辺は直線である。第四層１４３の横断面の側辺は、本体１０外に中心を有する凹曲線を形成する。
【００１６】
図５に示すとおり、嵌合口１２０にはその底部中心を通過する中分線１２４及び持ち手１１の中央縦軸線１２６に平行な縦向線１２５を有し、中分線１２４と縦向線１２５は約１５度の夾角を有する。
嵌合口１２０底部は第一アーク面１２７であって、上記中分線１２４と縦向線１２５の交差点は第一アーク面１２７中心にある。
第一層１２１と持ち手１１は、第一アーク面１２７と相似であって同心の仮想の第二アーク面１２８と連続したアウトラインを形成する。
中分線１２４と中央縦軸線１２６の交差点は第二アーク面１２８中心にある。
縦向線１２５と中央縦軸線１２６との間に偏移距離３２を形成することにより、ユーザーはスパナの操作時に幅狭な箇所においても障害物にぶつかることなく、螺合部品５０の回転操作を達成する。
中央縦軸線１２６と第二アーク面１２８の交差点から第四層１４３底面までの最大距離は、第二距離３６である。第二距離３６の持ち手１１の長さ３７に対する比は１/２よりも小さい。第二距離３６と持ち手１１の長さ３７の比は１:３〜１:６であり、最良の比例は１:６である。
【００１７】
図６から図８に示すとおり，第一最上面１２２は、第一層１２１から突出する。第一最上面１２２の面積４２は、第一層１２１の最上面４１の面積(第一最上面１２２の面積４２は第一層１２１の最上面４１面積の１/３〜２/３である)よりも小さい。
最上面４１から第一最上面１２２までの間は、層が重畳して形成された第二層１２３である。第二層１２３の横断面の側辺は直線もしくは凸曲線である。
第二最上面１４２の面積４４は第三層１４１の最上面４３面積より小さい。最上面４３から第二最上面１４２までの面積４４間は、層が重畳して形成された第四層１４３である。第四層１４３の横断面の側辺は直線もしくは凹曲線である。
【００１８】
図９に示すとおり，駆動部１２によって螺合部品５０を回転させる時、親指を傾斜面もしくは凹曲面を構成する第四層１４３に当てがって力を入れやすい。
【００１９】
図１０に示すとおり，駆動部１２によって螺合部品５０を回転させる時、周囲の他の部品が干渉するために、嵌合口１２０はただ螺合部品５０を半分の高さもしくは半分に至らない高さで螺合する場合でも、回転トルクは第二層１２３から第四層１４３及び持ち手１１に伝達される。
駆動部１２は第一層１２１、第二層１２３、第三層１４１及び第四層１４３を有し、駆動部１２は公知図２１に示す第二駆動部６２と比較して重量が軽くなり、且つ図２２に示す第三駆動部７２と比較して良好な回転トルクを作用する。
【実施例２】
【００２０】
図１１に示すとおり，第二最上面１４２は持ち手１１中段まで延長され、且つ中央縦軸線１２６に沿って延長する。第一幅１４４及び第二幅１４５は同じである。第二距離３６は第三距離３７の１/２よりも小さいか、もしくは同じである。 
【実施例３】
【００２１】
図１２に示すとおり，第二最上面１４２は持ち手１１一側に延長され、第二最上面１４２の中軸線と持ち手１１の中央縦軸線１２６間には間隔３８が形成される。
【実施例４】
【００２２】
図１３から図２０に示すとおり，本体１０は第一層１２１、最上面１２２及び第二層１２３を設置するだけで、図１に示すような第三層１４１、第二最上面１４２及び第四層１４３を設置しない。
【実施例５】
【００２３】
図２１に示すとおり，本体１０は、第一層１２１及び第二層１２３を設置するだけで、第三層１４１及び第四層１４３を設置せず、層が重畳して延びる箇所は持ち手１１まで延長しない。
【００２４】
図１に示すとおり,第一層１２１及び第三層１４１底面から最上面の側辺までは、それぞれ丸面取りもしくは角面取りを形成する。第二層１２３底面から最上面１２２まで、及び第四層１４３底面から最上面１４２の側辺までも同じく丸面取りもしくは角面取りを備える。振動加工は面取りを有する。
【符号の説明】
【００２５】
１０        本体
１１        持ち手    
１２        駆動部
１２０        嵌合口
１２１        第一層
１２２        第一最上面
１２３        第二層
１２４        中分線
１２５        縦向線
１２６        中央縦軸線   
１２７        第一アーク面
１２８        第二アーク面
１４１        第三層
１４２        第二最上面
１４３        第四層
１４４        第一幅
１４５        第二幅
１４６        第一アーク
１４７        第二アーク
３１        第一距離
３２        偏移距離      
３６        第二距離
３７        長さ      
３８        間隔
４１        最上面
４２        面積
４３        最上面      
４４        面積
５０        螺合部品
６０        本体      
６１        持ち手
６２        駆動部
７０        本体      
７１        持ち手
７２        駆動部
７２１        第一層
７２２        第二層
【図１】
0003213561.tif 000003
【図２】
0003213561.tif 000004
【図３】
0003213561.tif 000005
【図４】
0003213561.tif 000006
【図５】
0003213561.tif 000007
【図６】
0003213561.tif 000008
【図７】
0003213561.tif 000009
【図８】
0003213561.tif 000010
【図９】
0003213561.tif 000011
【図１０】
0003213561.tif 000012
【図１１】
0003213561.tif 000013
【図１２】
0003213561.tif 000014
【図１３】
0003213561.tif 000015
【図１４】
0003213561.tif 000016
【図１５】
0003213561.tif 000017
【図１６】
0003213561.tif 000018
【図１７】
0003213561.tif 000019
【図１８】
0003213561.tif 000020
【図１９】
0003213561.tif 000021
【図２０】
0003213561.tif 000022
【図２１】
0003213561.tif 000023
【図２２】
0003213561.tif 000024
【図２３】
0003213561.tif 000025